(57)【要約】【課題】計器及び文字板において、特殊な着色剤や着色工程を要することなく、奥行き感や立体感、グラデーションを表現する。【解決手段】文字板１４は、目盛部１４ｂが形成されている部位において、外側に向かうにつれて徐々に低くなるようなリング状の斜面部１４１を有し、斜面部１４１における数字部１４ｃに近い部位であるＲ部１４ｒは、照明時の輝度を内外方向に徐々に変化させるために、その断面が曲線的な凸状になっている。【選択図】図３
2007017165.tif 000002
【特許請求の範囲】
【請求項１】
アナログ計器用の文字板であって、外側に向かうにつれて徐々に低くなるような斜面部を有し、装飾照明用の光を前記斜面部で受けるようにした文字板において、
前記斜面部の一部又は全部は、
照明時の輝度を内外方向に徐々に変化させるために、前記光源からの光路差が該内外方向に沿った外側に向かって徐々に変化するように、その断面形状が曲線的な凸状又は凹状になっている、
ことを特徴とする文字板。
【請求項２】
請求項１記載の文字板において、
前記斜面部に対向するように前記装飾照明用の光を透過させる透過部が形成された、
ことを特徴とする文字板。
【請求項３】
装飾照明用の光源と、外側に向かうにつれて徐々に低くなるようなリング状の斜面部を有する文字板と、を備え、前記光源からの光を反射させて前記斜面部に向けて出射するようにした計器において、
前記斜面部の一部又は全部は、
照明時の明暗を内外方向に徐々に変化させるために、前記光源からの光路差が該内外方向に沿った外側に向かって徐々に変化するように、その断面形状が曲線的な凸状又は凹状になっている、
ことを特徴とする計器。
【発明の詳細な説明】
【技術分野】
【０００１】
本発明は、自動車等に搭載される計器及びこの計器に用いられる文字板に関し、特に、奥行き感及び立体感を表現することができる計器及び文字板に関する。
【背景技術】
【０００２】
自動車等に搭載される計器においては、奥行き感や立体感、グラデーションを表現するために、文字板の周縁部に装飾用のリング意匠が印刷されていることが多い。図５は、この種の従来の計器を示す断面図である。図６は、図５の計器の要部を示す斜視図である。
【０００３】
図５に示すように、この種の計器９は、各種電子部品を搭載する基板９１、基板９１に搭載される指針用光源９２ａ、文字板用光源９２ｂ、装飾照明用光源９２ｃ、ケース９３、ケース９３の一部に支持されて速度やエンジン回転数等を示す意匠９４ａが形成された文字板９４、文字板９４の裏面に取り付けられる拡散板９６、意匠９４ａを指示する指針９７、所定の計測値に応じて指針９７を回転させるムーブメント９８、計器９の前面に取り付けられる見返し９９、及び、図示しない表ガラス等を含んで基本構成される。また、指針９７には指針キャップ９７ｂが被せられ、指針軸９７ａには、ムーブメント９８の回転軸９８ａが挿通されている。
【０００４】
このような基本構成の計器９に奥行き感や立体感、グラデーションを表現するために、文字板９４の周縁部近傍にはリング状の斜面部９４１が設けられている。そして、斜面部９４１は、図６に示すように、外側に向かって徐々に明暗が変化する装飾用のリング意匠が印刷されている。また、斜面部９４１を周回するように、リング状の導光体９５が取り付けられている。なお、斜面部９４１には、エンジン回転数を示す意匠９４ａに対応する目盛りを示す意匠９４ｂも形成されている。
【０００５】
そして、光源９２ｃからの光Ｒ９は、導光体９５に導光されて、出射光Ｒ９′として斜面部９４１に出射される。これによって、斜面部９４１に印刷された印刷色の濃淡を有するリング意匠が光輝して、文字板９４及び計器９に奥行き感や立体感、グラデーションが付加される。なお、指針用光源９２ａ及び文字板用光源９２ｂによって、それぞれ、指針９７及び文字板９４上の意匠９４ａも周知のように照明される。
【０００６】
なお、上述の計器は下記特許文献１にて詳細に記載されている。
【特許文献１】特許第３５２６０３６号公報
【発明の開示】
【発明が解決しようとする課題】
【０００７】
ところが、上記従来の計器９の計器によると、文字板９４の斜面部９４１に上述のような濃淡が変化する特殊な着色を施さなければならない。したがって、奥行き感や立体感、グラデーションを表現するために、特殊な着色剤や着色工程が必要となる。また、光源９２ｃからの光を導光するリング状の導光体９５が必要となる。したがって、部品点数も増加する。
【０００８】
よって本発明は、上述した現状に鑑み、特殊な着色剤や着色工程を要することなく、且つ、部品点数増加を抑えつつ、奥行き感や立体感、グラデーションを表現することができる計器及び文字板を提供することを課題としている。
【課題を解決するための手段】
【０００９】
上記課題を解決するためになされた請求項１記載の文字板は、アナログ計器用の文字板であって、外側に向かうにつれて徐々に低くなるような斜面部を有し、装飾照明用の光を前記斜面部で受けるようにした文字板において、前記斜面部の一部又は全部は、照明時の輝度を内外方向に徐々に変化させるために、前記光源からの光路差が該内外方向に沿った外側に向かって徐々に変化するように、その断面形状が曲線的な凸状又は凹状になっている、ことを特徴とする。
【００１０】
請求項１記載の発明によれば、外側に向かうにつれて徐々に低くなるような斜面部の一部又は全部は、照明時の輝度を内外方向に徐々に変化させるために、光源からの光路差が該内外方向に沿った外側に向かって徐々に変化するように、その断面形状が曲線的な凸状又は凹状になっている。
【００１１】
上記課題を解決するためになされた請求項２記載の文字板は、請求項１記載の文字板において、前記斜面部に対向するように前記装飾照明用の光を透過させる透過部が形成された、ことを特徴とする。
【００１２】
請求項２記載の発明によれば、斜面部に対向するように形成された装飾照明用の光を透過させる透過部が形成されている。よって、部品点数及び組立工数の削減の効果がある。
【００１３】
上記課題を解決するためになされた請求項３記載の計器は、装飾照明用の光源と、外側に向かうにつれて徐々に低くなるようなリング状の斜面部を有する文字板と、を備え、前記光源からの光を反射させて前記斜面部に向けて出射するようにした計器において、前記斜面部の一部又は全部は、照明時の明暗を内外方向に徐々に変化させるために、前記光源からの光路差が該内外方向に沿った外側に向かって徐々に変化するように、その断面形状が曲線的な凸状又は凹状になっている、ことを特徴とする。
【００１４】
請求項３記載の発明によれば、装飾照明用の光源と、外側に向かうにつれて徐々に低くなるような斜面部を有する文字板を備えた計器において、文字板の斜面部の一部又は全部は、照明時の明暗を内外方向に徐々に変化させるために、光源からの光路差が該内外方向に沿った外側に向かって徐々に変化するように、その断面形状が曲線的な凸状又は凹状になっている。
【発明の効果】
【００１５】
請求項１記載の発明によれば、外側に向かうにつれて徐々に低くなるような斜面部の一部又は全部は、照明時の輝度を内外方向に徐々に変化させるために、光源からの光路差が該内外方向に沿った外側に向かって徐々に変化するように、その断面形状が曲線的な凸状又は凹状になっている。したがって、この文字板を用いることにより、特殊な着色剤や着色工程を要することなく奥行き感や立体感、グラデーションを表現することができる計器を提供することが可能になる。
【００１６】
請求項２記載の発明によれば、斜面部に対向するように形成された装飾照明用の光を透過させる透過部が形成されている。したがって、部品点数及び組立工数の削減の効果があり、且つ、奥行き感や立体感、グラデーションを表現することができる計器を提供することが可能になる。
【００１７】
請求項３記載の発明によれば、装飾照明用の光源と、外側に向かうにつれて徐々に低くなるような斜面部を有する文字板を備えた計器において、文字板の斜面部の一部又は全部は、照明時の明暗を内外方向に徐々に変化させるために、光源からの光路差が該内外方向に沿った外側に向かって徐々に変化するように、その断面形状が曲線的な凸状又は凹状になっている。したがって、特殊な着色剤や着色工程を要することなく奥行き感や立体感、グラデーションを表現することができる計器を提供することができる。また、従来のようにリング状の導光部材も不要となるため、部品点数増加を抑えた計器を提供することができる。
【発明を実施するための最良の形態】
【００１８】
以下、本発明の実施の形態を図面に基づいて説明する。まず、本発明の実施形態の概略構成について説明する。図１は、本発明の一実施形態に係る計器の要部を示す斜視図である。
【００１９】
本発明の実施形態に係る計器及び文字板は、図１に示すように、例えば、アナログ式の自動車用のタコメータに適用される。勿論、速度計や水温計、燃料計に適用されてもよい。指針１０は、エンジン回転数を示す計測値に応じてムーブメントにより所定角度だけ回転され、黒色ベースの文字板１４に形成されたエンジン回転数を示す意匠である目盛部１４ｂや数字部１４ｃを指示する。文字板１４は、目盛部１４ｂが形成されている部位において、外側に向かうにつれて徐々に低くなるようなリング状の斜面部１４１を有し、斜面部１４１の一部（数字部１４ｃに近い部位）は、照明時の輝度を内外方向に徐々に変化させるために、その断面が曲線的な凸状になっている。
【００２０】
また、装飾用のリング部材１５がやや内側に傾斜して、リング状の斜面部１４１を周回するように取り付けられている。このリング部材１５の外側は、黒色樹脂製の見返し１６で覆われている。更に、これらはスモークガラスで覆われるが、ここでは省略している。なお、指針駆動等に係る基本構成は、図５で示した計器と同様となるので重複説明は省略する。
【００２１】
続いて、図２を用いて、本発明の特徴となる部位の構成について説明する。図２は、図１におけるＡＡ線断面図及びその周辺部を示す斜視図を組み合わせた図である。但し、図２において、図１に示した見返し１６は省略している。
【００２２】
図２において、文字板１４は、樹脂製であり、外側に向かうにつれて徐々に低くなるようなリング状の斜面部１４１を有し、装飾照明用の光を斜面部１４１で受けるようになっている。文字板１４において、斜面部１４１を周回するような形状の装飾用のリング部材１５を支持する穴であるリング部材支持部１４ｈと、このリング部材支持部１４ｈと斜面部１４１とを連接する部位の一部であって、斜面部１４１に対向するように形成された装飾照明用の光を透過させる透過部１４ａと、が一体形成されている。また、文字板１４において、透過部１４ａと斜面部１４１とは、リング状の底面部１４ｅにて連接されている。すなわち、文字板１４は、通常の平板状の文字板とは異なり、図中左から、見返しを取り付ける部位、リング部材支持部１４ｈ、透過部１４ａ、斜面部１４１及び数字部１４ｃが形成される平面部が一体化されたものである。
【００２３】
これによって、リング部材支持部を別途設けることなく、斜面部１４１を周回するような形状の装飾用のリング部材１５を有する計器が得られる。したがって、部品点数増加を最小限に抑え、装飾効果の高い計器を提供することが可能になる。
【００２４】
文字板１４における斜面部１４１には、エンジン回転数に対応したバー状の複数の目盛部１４ｂが均等間隔で形成されている。目盛部１４ｂは、常用回転数に対応して白色、青色、レッドゾーンに対応して赤色等の透過色で形成されている。文字板１４におけるエンジン回転数に対応した数字部１４ｃが形成されている部位は、平面状になっている。目盛部１４ｂもまた、白色、青色、赤色等の透過色で形成されている。文字板１４において、透過部１４ａ、目盛部１４ｂ及び数字部１４ｃ以外の部位は、基本的に黒色等の不透過色で印刷されている。
【００２５】
文字板１４において、目盛部１４ｂ及び数字部１４ｃの間に相当するリング状の部位であるＲ部１４ｒは、Ｒ形状すなわち所定の曲率の凸状になっている。なお、Ｒ部１４ｒは、所定の曲率の凹状であってもよい。また、Ｒ部１４ｒは、斜面部１４１全体にわたって形成するようにしてもよい。このような形状は、照明時のＲ部１４ｒの輝度を内外方向に徐々に変化させるためのものである。その作用については、図３を用いて後述する。なお、本発明において、内外方向とは、指針軸を中心として放射線状に広がる方向又は指針軸に放射線に向かう方向である。これにともない、外側にむかうといえば（請求項１参照）、指針軸から遠ざかる方向に向かうという意味になり、内側にむかうといえばこの逆になる。
【００２６】
文字板１４において、斜面部１４１から所定距離はなれた部位には、斜面部１４１を周回するような形状の装飾用のリング部材１５が取り付けられる。リング部材１５は、銀色等で塗装されたものでもよいし、図示しない有色光源からの光を導光して、それ自体が光輝するものであってもよい。いずれにしてもリング部材１５の背面には、支持足部１５ｈが均等間隔で延設されている。支持足部１５ｈは、穴形状のリング部材支持部１４ｈに挿通された後に加締められて、リング部材１５が固定される。
【００２７】
文字板１４において、リング部材１５が取り付けられる部位とは反対側には、樹脂製のケース１３の一部が配置されている。このケース１３の一部において、文字板１４の透過部１４ａに対向する部位には、光源１２ａからの光を透過部１４ａに向けて反射させる反射面１３ａが形成されている。この反射面１３ａもリング状になっている。
【００２８】
また、文字板１４において、目盛部１４ｂ及び数字部１４ｃが形成されている部位の下方にも、ケース１３の他の一部が配置されている。このケース１３の他の一部は、光源１２ｂからの光を効果的に目盛部１４ｂ及び数字部１４ｃに反射させるために、リング状且つ曲線凹状になっている。そして、光源１２ｂが配置される底面部には、複数の光源１２ｂに対応するようにそれぞれ開口穴１３ｂが形成されている。
【００２９】
ケース１３の下には、基板１１が配置されている。基板１１には、図示しないムーブメントや電子部品等の他に、上記光源１２ａ及び光源１２ｂも搭載される。光源１２ａ及び光源１２ｂは、例えば、白色光を発する発光ダイオードである。光源１２ａは、図中Ｌａで示すような光路で、斜面部１４１を装飾照明するためのもので、基板１１上にリング状に複数個配置されている。光源１２ｂは、図中Ｌｂで示すような光路や反射光で、目盛部１４ｂ及び数字部１４ｃを照明するためのもので、基板１１上にリング状に複数個配置されている。
【００３０】
続いて、図３及び図４を用いて、本発明の実施形態による作用効果について説明する。図３は、本発明の実施形態による作用を説明するための図である。図４は、本発明の実施形態に係る光路差を説明するための図である。なお、図３は、図２と同様の部位の断面形状に相当し、図４は、図３のＲ部近傍の断面形状に相当する。
【００３１】
図３のＬａで示すように、光源１２ａからの光は、反射面１３ａにて反射された後、透過部１４ａを透過して、斜面部１４１に至る。斜面部１４１における目盛部１４ｂが形成されている部位は、平面状であるが、反射面１３ａに比べて傾斜が緩やかである。すなわち、目盛部１４ｂが形成されている部位は、数字部１４ｃに近づくにつれて、光源１２ａからの距離が遠ざかるように傾斜している。よって、目盛部１４ｂが形成されている部位は、数字部１４ｃに近づくにつれて、徐々に輝度が小さくなる。したがって、照明時には、この部位の明暗は、徐々に変化していく。
【００３２】
また、斜面部１４１におけるＲ部１４ｒは、上述したように、Ｒ形状すなわち所定の曲率の凸状になっている。補足すると、Ｒ部１４ｒは、目盛部１４ｂ及び数字部１４ｃに連続的に、且つ、凸状になっている。このため、図４のＬａ１、Ｌａ２、Ｌａ３に示すように、光源１２ａからの距離が、数字部１４ｃに近づくにつれてより遠ざかることになる（目盛部１４ｂが形成されている部位と比較して）。なお、図中１４１′は、目盛部１４ｂの延長線を参考までに示したものである。よって、Ｒ部１４ｒは、数字部１４ｃに近づくにつれて、徐々ではあるが、より明確に輝度が小さくなっていく。したがって、照明時には、この部位の明暗は、徐々ではあるが明確に変化していく。
【００３３】
この結果、特殊な着色剤や着色工程を要することなく、照明時において、奥行き感や立体感、グラデーションを表現することができる。特に、Ｒ部１４ｒによって、より明確に奥行き感や立体感、グラデーションを表現することができる。
【００３４】
なお、図３のＬｂで示すように、光源１２ｂからの光は、直接又は曲線凹状のケース１３の一部に反射されて、目盛部１４ｂ及び数字部１４ｃの裏側に至る。これによって、目盛部１４ｂ及び数字部１４ｃが照明される。
【００３５】
以上説明したように、本発明の実施形態によると、特殊な着色剤や着色工程を要することなく、奥行き感や立体感、グラデーションが表現された計器及び文字板を提供することができる。また、本発明の実施形態によると、従来のようにリング状の導光部材も不要となるため、部品点数増加を抑えた計器を提供することができる。
【００３６】
なお、上記実施形態では、Ｒ部１４ｒを目盛部１４ｂに相当する部位と数字部１４ｃに相当する部位の中間部のみに形成しているが、中間部のみならず、例えば、目盛部１４ｂに相当する部位及び／又は数字部１４ｃに相当する部位をＲ部１４ｒと同等の形状にすることも可能である。また、本発明は、例示したタコメータのみの適用に限定されない。また、リング部材１５は必ずしも必要でないが、装飾効果を高めるうえであった方がより好ましい。
【図面の簡単な説明】
【００３７】
【図１】本発明の一実施形態に係る計器の要部を示す斜視図である。
【図２】図１におけるＡＡ線断面図及びその周辺部を示す斜視図を組み合わせた図である。
【図３】本発明の実施形態による作用を説明するための図である。
【図４】本発明の実施形態に係る光路差を説明するための図である。
【図５】この種の従来の計器を示す断面図である。
【図６】図５の計器の要部を示す斜視図である。
【符号の説明】
【００３８】
１  計器
１１  基板
１２ａ、１２ｂ  光源
１３  ケース
１４  文字板
１４ａ  透過部
１４ｂ  目盛部
１４ｃ  数字部
１４ｒ  Ｒ部
１５  リング部材
【図１】
2007017165.tif 000003
【図２】
2007017165.tif 000004
【図３】
2007017165.tif 000005
【図４】
2007017165.tif 000006
【図５】
2007017165.tif 000007
【図６】
2007017165.tif 000008